(57)【要約】【課題】任意の壁倍率の耐力を望む場合に、材料費と、施工の手間とを削減することにある。【解決手段】  矩形をなす耐力面材１において、その耐力面材１の表面の少なくとも周辺部に、各々あらかじめ試験によって確認した、所定の基本壁倍率の一例としての壁倍率３倍を耐力面材１に持たせる基本固定位置３と、その所定の基本壁倍率よりも大きい増大壁倍率の例としての壁倍率４倍および５倍をそれぞれ耐力面材１に持たせる壁倍率増大固定位置４，５と、を表示してなる耐力面材である。【選択図】図１
0003131038.tif 000002
【実用新案登録請求の範囲】
【請求項１】
矩形をなす耐力面材において、
前記耐力面材の表面の少なくとも周辺部に、各々あらかじめ試験によって確認した、所定の基本壁倍率を前記耐力面材に持たせる基本固定位置と、前記所定の基本壁倍率よりも大きい増大壁倍率を前記耐力面材に持たせる壁倍率増大固定位置と、を表示してなる、耐力面材。
【請求項２】
前記基本固定位置と前記壁倍率増大固定位置とは、前記耐力面材の互いに隣接する二辺のそれぞれの延在方向の中央部の調整部分を除きそれぞれ所定ピッチで設定され、
前記調整部分は前記所定ピッチ以下の間隔とされている、請求項１記載の耐力面材。
【請求項３】
前記耐力面材は、構造用合板である、請求項１または２記載の耐力面材。
【請求項４】
前記基本固定位置と前記壁倍率増大固定位置とは、所定の仕様のビスを打つ位置である、請求項１から３までの何れか記載の耐力面材。
【請求項５】
前記基本固定位置の前記基本壁倍率は、３倍以上であり、
前記壁倍率増大固定位置の前記増大壁倍率は、４倍以上の少なくとも一種類である、請求項４記載の耐力面材。
【考案の詳細な説明】
【技術分野】
【０００１】
この考案は、木造軸組用の耐力面材に関するものである。
【背景技術】
【０００２】
従来の耐力面材としての構造用合板は、３尺×９尺で厚さ９ｍｍの寸法のものを、建築基準法の施工例に従って木造軸組に釘打ち固定すると、壁倍率（建築基準法施工令第４６条の基準による壁の強さ）が２．５倍となる。
【０００３】
また、任意の壁倍率を望む場合、従来は、例えば所定の筋交いを入れて壁倍率を３．５倍としたり、襷がけに入れて壁倍率を４．５倍としたりしている。
【考案の開示】
【考案が解決しようとする課題】
【０００４】
しかしながら、上記従来の方法で所望の壁倍率を得ようとすると、材料費と、施工の手間とが嵩むという問題があった。
【課題を解決するための手段】
【０００５】
この考案は、上記課題を有利に解決することを目的とするものであり、この考案の耐力面材は、矩形をなす耐力面材において、前記耐力面材の表面の少なくとも周辺部に、各々あらかじめ試験によって確認した、所定の基本壁倍率を前記耐力面材に持たせる基本固定位置と、前記所定の基本壁倍率よりも大きい増大壁倍率を前記耐力面材に持たせる壁倍率増大固定位置と、を表示してなるものである。
【考案の効果】
【０００６】
かかるこの考案の耐力面材にあっては、長方形または正方形である矩形をなす耐力面材の表面（表側および裏側の表面のうち少なくとも一方）の少なくとも周辺部に表示された、当該耐力面材と同一仕様の耐力面材についてあらかじめ試験によって所定の基本壁倍率（例えば３．１倍）が得られることを確認した、その基本壁倍率を当該耐力面材に持たせる基本固定位置に、釘やビス等の所定の固定手段を施工して、当該耐力面材を木造軸組に固定すると、その基本壁倍率での耐力が得られる。また、長方形または正方形である矩形をなす耐力面材の表面（表側および裏側の表面のうち少なくとも一方）の少なくとも周辺部に表示された、当該耐力面材と同一仕様の耐力面材についてあらかじめ試験によって上記基本壁倍率より大きい増大壁倍率（例えば４．６倍または５．０倍）を当該耐力面材に持たせる壁倍率増大固定位置に、釘やビス等の所定の固定手段を施工して、当該耐力面材を木造軸組に固定すると、その増大壁倍率での耐力が得られる。
【０００７】
従って、この考案の耐力面材によれば、特に施工位置を計算等しなくても、表面に表示された固定位置に固定手段を施工するだけで、同一の耐力面材で複数種類の壁倍率の耐力が容易に得られるので、任意の壁倍率の耐力を望む場合に、材料費と、施工の手間とを大幅に削減することができる。
【０００８】
なお、この考案の耐力面材においては、前記基本固定位置と前記壁倍率増大固定位置とは、全て実質的に等ピッチであっても良いが、前記基本固定位置と前記壁倍率増大固定位置とは、前記耐力面材の互いに隣接する二辺（例えば長方形の耐力面材の長辺と短辺）のそれぞれの延在方向の中央部の調整部分を除きそれぞれ所定ピッチで設定され、前記調整部分は前記所定ピッチ以下の間隔とされていると好ましい。基本固定位置と壁倍率増大固定位置とをそれぞれ所定ピッチで設定することとすればそれらの設定が容易になり、しかも中央部の調整部分が所定ピッチ以下の間隔とされていれば、中央部分も所定ピッチである場合よりも壁倍率が低くなることはないので、中央部分も所定ピッチである場合よりもその調整部分の寸法を小さくした任意の寸法の耐力面材を、あらためて試験することなく提供することができる。
【０００９】
また、この考案の耐力面材においては、前記耐力面材は、構造用合板以外の面材でもよいが、構造用合板であると好ましい。構造用合板は耐力面材として最も一般的に普及しているからである。
【００１０】
さらに、この考案の耐力面材においては、前記基本固定位置と前記壁倍率増大固定位置とは、所定の仕様のビスを打つ位置であると好ましい。固定手段として所定の仕様のビスを用いることで、より安定した壁倍率を得ることができるからである。
【００１１】
そして、この考案の耐力面材においては、前記基本固定位置の前記基本壁倍率は、３倍以上（３倍を含む）であり、前記壁倍率増大固定位置の前記増大壁倍率は、４倍以上（４倍を含む）の少なくとも一種類であると好ましい。３倍、４倍および５倍の壁倍率は需要が多く、またこれらの壁倍率の耐力面材を組み合わせることで任意のより大きい壁倍率を容易に得ることができるからである。
【００１２】
以下、本考案の実施の形態を実施例によって、図面に基づき詳細に説明する。ここに、図１〜図５は、この考案の耐力面材の第１実施例〜第５実施例としての構造用合板をそれぞれ示す平面図、図６（ａ），（ｂ）は、それらの実施例の構造用合板の固定用のビスを示す正面図および側面図、そして図７（ａ），（ｂ），（ｃ）は、それらの実施例の構造用合板の壁倍率の確認のための面内せん断試験用の木造軸組およびそこに固定した試験体を示す正面図、平面図および側面図であり、図中符号１はそれらの実施例の構造用合板、１１および１２は試験体を示す。なお、本願出願人はこれらの実施例の構造用合板を「ビスカベ」と呼んでいる。
【００１３】
図１に示す第１実施例の構造用合板１は、ＪＡＳ普通合板構造用２級（ＣＳＰ：カナダソフトプライウッド）の、３尺×９尺サイズ（９１０ｍｍ×２７３０ｍｍ×厚さ９ｍｍ）のものであり、この実施例の構造用合板１の表面（図示例では表側のみの面）の周辺部には、外周縁からそれぞれ２５ｍｍ内側に離間して外周縁の各辺と平行に延在する直線２ａからなる枠２が例えば直接プリント（印刷）されて表示されるとともに、その枠２の内側に直線２ａから突出するように、所定の基本壁倍率としての壁倍率３倍（より正確には３．１倍）を当該構造用合板１に持たせる基本固定位置としての壁倍率３倍固定位置を示す、二本の短線を整列させて示す目盛り３が、図１の右側および下側に示すように枠２の端から１５０ｍｍピッチで例えば直接プリントされて表示されており、各直線２ａの中央部の調整部分二箇所だけは目盛り３が、長辺については１４０ｍｍピッチ、短辺については１３０ｍｍピッチとされている。
【００１４】
また、この第１実施例の構造用合板１の表面（図示例では表側のみの面）の周辺部には、上記枠２の外側に直線２ａから突出するように、上記基準壁倍率より大きい壁倍率の一つとしての壁倍率４倍（より正確には４．６倍）を当該構造用合板１に持たせる、壁倍率増大固定位置の一つとしての壁倍率４倍の固定位置を示す、一本の短線で示す目盛り４が、図１の左側および上側に示すように枠２の端から１００ｍｍピッチで例えば直接プリントされて表示されており、各直線２ａの中央部の調整部分一箇所だけは目盛り４が、長辺については８０ｍｍピッチ、短辺については６０ｍｍピッチとされている。
【００１５】
さらに、この第１実施例の構造用合板１の表面（図示例では表側のみの面）の周辺部には、上記枠２の内側に直線２ａから突出するように、上記基準壁倍率より大きい壁倍率の他の一つとしての壁倍率５倍（より正確には５．０倍を超える）を当該構造用合板１に持たせる、壁倍率増大固定位置の他の一つとしての壁倍率５倍の固定位置を示す、一本の短線で示す目盛り５が、枠２の端から７５ｍｍピッチで、目盛り３と一致する箇所を除き、例えば直接プリントされて表示されており、各直線２ａの中央部の調整部分二箇所だけは目盛り５が、長辺については６５ｍｍピッチ、短辺については５５ｍｍピッチとされている。
【００１６】
さらに、この第１実施例の構造用合板１の表面（図示例では表側のみの面）の、互いに対抗する二組の二辺のうち一組である図では上下端の短辺の幅方向中心点同士を結ぶ直線である、図示しない長手方向中心線上に位置するように、上記壁倍率３倍を当該構造用合板１に持たせる壁倍率３倍の固定位置と、上記壁倍率４倍および５倍を当該構造用合板１にそれぞれ持たせる壁倍率４倍および５倍の固定位置との両方を示す十字状の二本の短線で示す目印６が、枠２から３００ｍｍピッチで例えば直接プリントされて表示され、中央部の調整部分一箇所だけは目印６が、２８０ｍｍピッチとされている。
【００１７】
かかる第１実施例の構造用合板１にあっては、全ての目盛り３の各々と枠線２との交点で示す固定位置と、全ての目印６の各々の十字状の二本の短線の交点で示す固定位置とに後述するビスを施工することで壁倍率３倍が得られ、またそれより大きい壁倍率が必要な場合は、全ての目盛り４の各々と枠線２との交点で示す固定位置と、全ての目印６の各々の十字状の二本の短線の交点で示す固定位置とに後述するビスを施工することで壁倍率４倍が得られ、一方、全ての目盛り３の各々と枠線２との交点で示す固定位置と、全ての目盛り５の各々と枠線２との交点で示す固定位置と、全ての目印６の各々の十字状の二本の短線の交点で示す固定位置とに後述するビスを施工することで壁倍率５倍が得られる。
【００１８】
従って、この第１実施例の構造用合板１によれば、特に施工位置を計算等しなくても、表面に表示された目盛り３，４，５が示す固定位置に所定のビスを施工するだけで、同一の構造用合板１で複数種類の壁倍率の耐力が容易に得られるので、任意の壁倍率の耐力を望む場合に、材料費と、施工の手間とを大幅に削減することができる。
【００１９】
図２に示す第２実施例の構造用合板１は、ＪＡＳ普通合板構造用２級（ＣＳＰ：カナダソフトプライウッド）の、３尺×６尺サイズ（９１０ｍｍ×１８２０ｍｍ×厚さ９ｍｍ）のものであり、この実施例の構造用合板１の表面（図示例では表側のみの面）の周辺部には、外周縁からそれぞれ２５ｍｍ内側に離間して外周縁の各辺と平行に延在する直線２ａからなる枠２が例えば直接プリントされて表示されるとともに、その枠２の内側に直線２ａから突出するように、所定の基本壁倍率としての壁倍率３倍（より正確には３．１倍）を当該構造用合板１に持たせる基本固定位置としての壁倍率３倍固定位置を示す、二本の短線を整列させて示す目盛り３が、図１の右側および下側に示すように枠２の端から１５０ｍｍピッチで例えば直接プリントされて表示されており、各直線２ａの中央部の調整部分二箇所だけは目盛り３が、長辺については１３５ｍｍピッチ、短辺については１３０ｍｍピッチとされている。
【００２０】
また、この第２実施例の構造用合板１の表面（図示例では表側のみの面）の周辺部には、上記枠２の外側に直線２ａから突出するように、上記基準壁倍率より大きい壁倍率の一つとしての壁倍率４倍（より正確には４．６倍）を当該構造用合板１に持たせる、壁倍率増大固定位置の一つとしての壁倍率４倍の固定位置を示す、一本の短線で示す目盛り４が、図１の左側および上側に示すように枠２の端から１００ｍｍピッチで例えば直接プリントされて表示されており、各直線２ａの中央部の調整部分だけは目盛り４が、長辺については二箇所で８５ｍｍピッチ、短辺については一箇所で６０ｍｍピッチとされている。
【００２１】
さらに、この第２実施例の構造用合板１の表面（図示例では表側のみの面）の周辺部には、上記枠２の内側に直線２ａから突出するように、上記基準壁倍率より大きい壁倍率の他の一つとしての壁倍率５倍（より正確には５．０倍を超える）を当該構造用合板１に持たせる、壁倍率増大固定位置の他の一つとしての壁倍率５倍の固定位置を示す、一本の短線で示す目盛り５が、枠２の端から７５ｍｍピッチで、目盛り３と一致する箇所を除き、例えば直接プリントされて表示されており、各直線２ａの中央部の調整部分二箇所だけは目盛り５が、長辺については６０ｍｍピッチ、短辺については５５ｍｍピッチとされている。
【００２２】
さらに、この第２実施例の構造用合板１の表面（図示例では表側のみの面）の、互いに対抗する二組の二辺のうち一組である図では上下端の短辺の幅方向中心点同士を結ぶ直線である、図示しない長手方向中心線上に位置するように、上記壁倍率３倍を当該構造用合板１に持たせる壁倍率３倍の固定位置と、上記壁倍率４倍および５倍を当該構造用合板１にそれぞれ持たせる壁倍率４倍および５倍の固定位置との両方を示す十字状の二本の短線で示す目印６が、枠２から３００ｍｍピッチで例えば直接プリントされて表示され、中央部の調整部分二箇所だけは目印６が、２８５ｍｍピッチとされている。
【００２３】
かかる第２実施例の構造用合板１にあっては、全ての目盛り３の各々と枠線２との交点で示す固定位置と、全ての目印６の各々の十字状の二本の短線の交点で示す固定位置とに後述するビスを施工することで壁倍率３倍が得られ、またそれより大きい壁倍率が必要な場合は、全ての目盛り４の各々と枠線２との交点で示す固定位置と、全ての目印６の各々の十字状の二本の短線の交点で示す固定位置とに後述するビスを施工することで壁倍率４倍が得られ、一方、全ての目盛り３の各々と枠線２との交点で示す固定位置と、全ての目盛り５の各々と枠線２との交点で示す固定位置と、全ての目印６の各々の十字状の二本の短線の交点で示す固定位置とに後述するビスを施工することで壁倍率５倍が得られる。
【００２４】
従って、この第２実施例の構造用合板１によっても、特に施工位置を計算等しなくても、表面に表示された目盛り３，４，５が示す固定位置に所定のビスを施工するだけで、同一の構造用合板１で複数種類の壁倍率の耐力が容易に得られるので、任意の壁倍率の耐力を望む場合に、材料費と、施工の手間とを大幅に削減することができる。
【００２５】
図３に示す第３実施例の構造用合板１は、ＪＡＳ普通合板構造用２級（ＣＳＰ：カナダソフトプライウッド）の、３尺×８尺サイズ（９１０ｍｍ×２４４０ｍｍ×厚さ９ｍｍ）のものであり、この実施例の構造用合板１の表面（図示例では表側のみの面）の周辺部には、外周縁からそれぞれ２５ｍｍ内側に離間して外周縁の各辺と平行に延在する直線２ａからなる枠２が例えば直接プリントされて表示されるとともに、その枠２の内側に直線２ａから突出するように、所定の基本壁倍率としての壁倍率３倍（より正確には３．１倍）を当該構造用合板１に持たせる基本固定位置としての壁倍率３倍固定位置を示す、二本の短線を整列させて示す目盛り３が、図１の右側および下側に示すように枠２の端から１５０ｍｍピッチで例えば直接プリントされて表示されており、各直線２ａの中央部の調整部分二箇所だけは目盛り３が、長辺については１４５ｍｍピッチ、短辺については１３０ｍｍピッチとされている。
【００２６】
また、この第３実施例の構造用合板１の表面（図示例では表側のみの面）の周辺部には、上記枠２の外側に直線２ａから突出するように、上記基準壁倍率より大きい壁倍率の一つとしての壁倍率４倍（より正確には４．６倍）を当該構造用合板１に持たせる、壁倍率増大固定位置の一つとしての壁倍率４倍の固定位置を示す、一本の短線で示す目盛り４が、図１の左側および上側に示すように枠２の端から１００ｍｍピッチで例えば直接プリントされて表示されており、各直線２ａの中央部の調整部分だけは目盛り４が、長辺については二箇所で９５ｍｍピッチ、短辺については一箇所で６０ｍｍピッチとされている。
【００２７】
さらに、この第３実施例の構造用合板１の表面（図示例では表側のみの面）の周辺部には、上記枠２の内側に直線２ａから突出するように、上記基準壁倍率より大きい壁倍率の他の一つとしての壁倍率５倍（より正確には５．０倍を超える）を当該構造用合板１に持たせる、壁倍率増大固定位置の他の一つとしての壁倍率５倍の固定位置を示す、一本の短線で示す目盛り５が、枠２の端から７５ｍｍピッチで、目盛り３と一致する箇所を除き、例えば直接プリントされて表示されており、各直線２ａの中央部の調整部分二箇所だけは目盛り５が、長辺については７０ｍｍピッチ、短辺については５５ｍｍピッチとされている。
【００２８】
さらに、この第３実施例の構造用合板１の表面（図示例では表側のみの面）の、互いに対抗する二組の二辺のうち一組である図では上下端の短辺の幅方向中心点同士を結ぶ直線である、図示しない長手方向中心線上に位置するように、上記壁倍率３倍を当該構造用合板１に持たせる壁倍率３倍の固定位置と、上記壁倍率４倍および５倍を当該構造用合板１にそれぞれ持たせる壁倍率４倍および５倍の固定位置との両方を示す十字状の二本の短線で示す目印６が、枠２から３００ｍｍピッチで例えば直接プリントされて表示され、中央部の調整部分二箇所だけは目印６が、２９５ｍｍピッチとされている。
【００２９】
かかる第３実施例の構造用合板１にあっては、全ての目盛り３の各々と枠線２との交点で示す固定位置と、全ての目印６の各々の十字状の二本の短線の交点で示す固定位置とに後述するビスを施工することで壁倍率３倍が得られ、またそれより大きい壁倍率が必要な場合は、全ての目盛り４の各々と枠線２との交点で示す固定位置と、全ての目印６の各々の十字状の二本の短線の交点で示す固定位置とに後述するビスを施工することで壁倍率４倍が得られ、一方、全ての目盛り３の各々と枠線２との交点で示す固定位置と、全ての目盛り５の各々と枠線２との交点で示す固定位置と、全ての目印６の各々の十字状の二本の短線の交点で示す固定位置とに後述するビスを施工することで壁倍率５倍が得られる。
【００３０】
従って、この第３実施例の構造用合板１によっても、特に施工位置を計算等しなくても、表面に表示された目盛り３，４，５が示す固定位置に所定のビスを施工するだけで、同一の構造用合板１で複数種類の壁倍率の耐力が容易に得られるので、任意の壁倍率の耐力を望む場合に、材料費と、施工の手間とを大幅に削減することができる。
【００３１】
図４に示す第４実施例の構造用合板１は、ＪＡＳ普通合板構造用２級（ＣＳＰ：カナダソフトプライウッド）の、３尺×１０尺サイズ（９１０ｍｍ×３０３０ｍｍ×厚さ９ｍｍ）のものであり、この実施例の構造用合板１の表面（図示例では表側のみの面）の周辺部には、外周縁からそれぞれ２５ｍｍ内側に離間して外周縁の各辺と平行に延在する直線２ａからなる枠２が例えば直接プリントされて表示されるとともに、その枠２の内側に直線２ａから突出するように、所定の基本壁倍率としての壁倍率３倍（より正確には３．１倍）を当該構造用合板１に持たせる基本固定位置としての壁倍率３倍固定位置を示す、二本の短線を整列させて示す目盛り３が、図１の右側および下側に示すように枠２の端から１５０ｍｍピッチで例えば直接プリントされて表示されており、各直線２ａの中央部の調整部分二箇所だけは目盛り３が、長辺については１４０ｍｍピッチ、短辺については１３０ｍｍピッチとされている。
【００３２】
また、この第４実施例の構造用合板１の表面（図示例では表側のみの面）の周辺部には、上記枠２の外側に直線２ａから突出するように、上記基準壁倍率より大きい壁倍率の一つとしての壁倍率４倍（より正確には４．６倍）を当該構造用合板１に持たせる、壁倍率増大固定位置の一つとしての壁倍率４倍の固定位置を示す、一本の短線で示す目盛り４が、図１の左側および上側に示すように枠２の端から１００ｍｍピッチで例えば直接プリントされて表示されており、各直線２ａの中央部の調整部分だけは目盛り４が、長辺については二箇所で９０ｍｍピッチ、短辺については一箇所で６０ｍｍピッチとされている。
【００３３】
さらに、この第４実施例の構造用合板１の表面（図示例では表側のみの面）の周辺部には、上記枠２の内側に直線２ａから突出するように、上記基準壁倍率より大きい壁倍率の他の一つとしての壁倍率５倍（より正確には５．０倍を超える）を当該構造用合板１に持たせる、壁倍率増大固定位置の他の一つとしての壁倍率５倍の固定位置を示す、一本の短線で示す目盛り５が、枠２の端から７５ｍｍピッチで、目盛り３と一致する箇所を除き、例えば直接プリントされて表示されており、各直線２ａの中央部の調整部分二箇所だけは目盛り５が、長辺については６５ｍｍピッチ、短辺については５５ｍｍピッチとされている。
【００３４】
さらに、この第４実施例の構造用合板１の表面（図示例では表側のみの面）の、互いに対抗する二組の二辺のうち一組である図では上下端の短辺の幅方向中心点同士を結ぶ直線である、図示しない長手方向中心線上に位置するように、上記壁倍率３倍を当該構造用合板１に持たせる壁倍率３倍の固定位置と、上記壁倍率４倍および５倍を当該構造用合板１にそれぞれ持たせる壁倍率４倍および５倍の固定位置との両方を示す十字状の二本の短線で示す目印６が、枠２から３００ｍｍピッチで例えば直接プリントされて表示され、中央部の調整部分二箇所だけは目印６が、２９０ｍｍピッチとされている。
【００３５】
かかる第４実施例の構造用合板１にあっては、全ての目盛り３の各々と枠線２との交点で示す固定位置と、全ての目印６の各々の十字状の二本の短線の交点で示す固定位置とに後述するビスを施工することで壁倍率３倍が得られ、またそれより大きい壁倍率が必要な場合は、全ての目盛り４の各々と枠線２との交点で示す固定位置と、全ての目印６の各々の十字状の二本の短線の交点で示す固定位置とに後述するビスを施工することで壁倍率４倍が得られ、一方、全ての目盛り３の各々と枠線２との交点で示す固定位置と、全ての目盛り５の各々と枠線２との交点で示す固定位置と、全ての目印６の各々の十字状の二本の短線の交点で示す固定位置とに後述するビスを施工することで壁倍率５倍が得られる。
【００３６】
従って、この第４実施例の構造用合板１によっても、特に施工位置を計算等しなくても、表面に表示された目盛り３，４，５が示す固定位置に所定のビスを施工するだけで、同一の構造用合板１で複数種類の壁倍率の耐力が容易に得られるので、任意の壁倍率の耐力を望む場合に、材料費と、施工の手間とを大幅に削減することができる。
【００３７】
図５に示す第５実施例の構造用合板１は、ＪＡＳ普通合板構造用２級（ＣＳＰ：カナダソフトプライウッド）の、１ｍ×３ｍサイズ（１０００ｍｍ×３０００ｍｍ×厚さ９ｍｍ）のものであり、この実施例の構造用合板１の表面（図示例では表側のみの面）の周辺部には、外周縁からそれぞれ２５ｍｍ内側に離間して外周縁の各辺と平行に延在する直線２ａからなる枠２が例えば直接プリントされて表示されるとともに、その枠２の内側に直線２ａから突出するように、所定の基本壁倍率としての壁倍率３倍（より正確には３．１倍）を当該構造用合板１に持たせる基本固定位置としての壁倍率３倍固定位置を示す、二本の短線を整列させて示す目盛り３が、図１の右側および下側に示すように枠２の端から１５０ｍｍピッチで例えば直接プリントされて表示されており、各直線２ａの中央部の調整部分だけは目盛り３が、長辺については二箇所で１２５ｍｍピッチ、短辺については一箇所で５０ｍｍピッチとされている。
【００３８】
また、この第５実施例の構造用合板１の表面（図示例では表側のみの面）の周辺部には、上記枠２の外側に直線２ａから突出するように、上記基準壁倍率より大きい壁倍率の一つとしての壁倍率４倍（より正確には４．６倍）を当該構造用合板１に持たせる、壁倍率増大固定位置の一つとしての壁倍率４倍の固定位置を示す、一本の短線で示す目盛り４が、図１の左側および上側に示すように枠２の端から１００ｍｍピッチで例えば直接プリントされて表示されており、各直線２ａの中央部の調整部分二箇所だけは目盛り４が、長辺についても短辺についても７５ｍｍピッチとされている。
【００３９】
さらに、この第５実施例の構造用合板１の表面（図示例では表側のみの面）の周辺部には、上記枠２の内側に直線２ａから突出するように、上記基準壁倍率より大きい壁倍率の他の一つとしての壁倍率５倍（より正確には５．０倍を超える）を当該構造用合板１に持たせる、壁倍率増大固定位置の他の一つとしての壁倍率５倍の固定位置を示す、一本の短線で示す目盛り５が、枠２の端から７５ｍｍピッチで、目盛り３と一致する箇所を除き、例えば直接プリントされて表示されており、各直線２ａの中央部の調整部分だけは目盛り５が、長辺については二箇所で５０ｍｍピッチ、短辺については一箇所で５０ｍｍピッチとされている。
【００４０】
さらに、この第５実施例の構造用合板１の表面（図示例では表側のみの面）の、互いに対抗する二組の二辺のうち一組である図では上下端の短辺の幅方向中心点同士を結ぶ直線である、図示しない長手方向中心線上に位置するように、上記壁倍率３倍を当該構造用合板１に持たせる壁倍率３倍の固定位置と、上記壁倍率４倍および５倍を当該構造用合板１にそれぞれ持たせる壁倍率４倍および５倍の固定位置との両方を示す十字状の二本の短線で示す目印６が、枠２から３００ｍｍピッチで例えば直接プリントされて表示され、中央部の調整部分二箇所だけは目印６が、２７５ｍｍピッチとされている。
【００４１】
かかる第５実施例の構造用合板１にあっては、全ての目盛り３の各々と枠線２との交点で示す固定位置と、全ての目印６の各々の十字状の二本の短線の交点で示す固定位置とに後述するビスを施工することで壁倍率３倍が得られ、またそれより大きい壁倍率が必要な場合は、全ての目盛り４の各々と枠線２との交点で示す固定位置と、全ての目印６の各々の十字状の二本の短線の交点で示す固定位置とに後述するビスを施工することで壁倍率４倍が得られ、一方、全ての目盛り３の各々と枠線２との交点で示す固定位置と、全ての目盛り５の各々と枠線２との交点で示す固定位置と、全ての目印６の各々の十字状の二本の短線の交点で示す固定位置とに後述するビスを施工することで壁倍率５倍が得られる。
【００４２】
従って、この第５実施例の構造用合板１によっても、特に施工位置を計算等しなくても、表面に表示された目盛り３，４，５が示す固定位置に所定のビスを施工するだけで、同一の構造用合板１で複数種類の壁倍率の耐力が容易に得られるので、任意の壁倍率の耐力を望む場合に、材料費と、施工の手間とを大幅に削減することができる。
【００４３】
図６は、これら第１〜第５実施例の構造用合板１で上記壁倍率を得るために用いることが好ましい、所定の固定手段の一例としてのビスを例示しており、このビス７は、建築基準法施工令第４７条に適合する金物として、通常の冷間圧造用炭素鋼（ＪＩＳ−Ｇ３５０７−２相当）から形成されたもので、十字溝を持つ頭部７ａと、その頭部７ａに連なる軸部７ｂとを具えており、その軸部７ｂには、短時間でのねじ込みを可能にする粗いピッチの第１ねじ部７ｃと、このビス７の緩み防止を可能にする、第１ねじ部７ｃよりも細かいピッチの第２ねじ部７ｄと、それらのねじ部の谷径より若干太い繋ぎ部７ｅとを有している。なお、このビス７は、東日本パワーファスニング株式会社が品番ＪＣＷ−４１ＲＦとして販売している。
【００４４】
上記第１〜第５実施例の構造用合板１の壁倍率を確認するために、本願出願人は、図７に示す、建築基準法施工令第４１条に適合する面内せん断試験用の木造軸組１０に、上記各実施例と同じ材質および板厚の正方形（１０００ｍｍ×１０００ｍｍ）の試験体１１および長方形（１０００ｍｍ×２０００ｍｍ）の試験体１２をそれぞれ二枚ずつ図示のように配置して上記ビス７で固定した。固定位置は上記第５実施例の構造用合板１の壁倍率３倍、４倍および５倍にそれぞれ対応したものであり、図７では壁倍率４倍の場合を示す。
【００４５】
この木造軸組１０を、財団法人ベターリビング・筑波建築試験センターで、建築基準法施工令第４６条第４項表一（ハ）の認定に係る、財団法人日本建築センターが制定した方法書に基づく評価方法によって面内せん断試験を行った結果、各々低減係数０．８を掛けた状態で、上記第５実施例の構造用合板１の壁倍率３倍（目盛り３）に対応した固定位置では３．１倍の壁倍率を有し、上記第５実施例の構造用合板１の壁倍率４倍（目盛り４）に対応した固定位置では４．６倍の壁倍率を有し、そして上記第５実施例の構造用合板１の壁倍率５倍（目盛り５）に対応した固定位置では５．８倍の壁倍率を有することが確認された（但し、「壁倍率」として承認を受け得る数値には５．０倍の上限がある）。
【００４６】
従って、上記各実施例の構造用合板１も、上記面内せん断試験の試験体１１，１２と同じ材質および板厚であって、試験体１１，１２と同様もしくはそれより固定位置のピッチが短いので、少なくとも上記面内せん断試験の試験体１１，１２と同じ壁倍率が得られるものと推定される。
【００４７】
以上、図示例に基づき説明したが、この考案は上述の例に限定されるものでなく、例えば耐力面材は、９１０ｍｍ×９１０ｍｍあるいは１０００ｍｍ×１０００ｍｍの正方形としても良く、あるいは上記各実施例の構造用合板から正方形に切り出しても良い。そして厚さも、９ｍｍでなく９．５ｍｍのものでも良い。また構造用合板の代りに、構造用合板以外の面材としても良い。さらに、固定手段は、強固に固定できるものであれば上記例のビス以外のものでも良い。
【００４８】
さらに、固定位置を表示するのは体力面材の両面でも良く、また固定位置の表示方法は、プリンタによる耐力面材表面へ直接プリント（印刷）する方法の他、ビニールシートや紙等にプリントしてそれを耐力面材の表面に貼り付ける方法でも良い。
【産業上の利用可能性】
【００４９】
かくしてこの考案の耐力面材によれば、特に施工位置を計算等しなくても、表面に表示された固定位置に固定手段を施工するだけで、同一の耐力面材で複数種類の壁倍率の耐力が容易に得られるので、任意の壁倍率の耐力を望む場合に、材料費と、施工の手間とを大幅に削減することができる。
【図面の簡単な説明】
【００５０】
【図１】この考案の耐力面材の第１実施例としての構造用合板を示す平面図である。
【図２】この考案の耐力面材の第２実施例としての構造用合板を示す平面図である。
【図３】この考案の耐力面材の第３実施例としての構造用合板を示す平面図である。
【図４】この考案の耐力面材の第４実施例としての構造用合板を示す平面図である。
【図５】この考案の耐力面材の第５実施例としての構造用合板を示す平面図である。
【図６】（ａ），（ｂ），（ｃ）は、上記各実施例の構造用合板の固定用のビスを示す正面図、側面図および寸法表である。
【図７】（ａ），（ｂ），（ｃ）は、上記各実施例の構造用合板の壁倍率の確認のための面内せん断試験用の木造軸組およびそこに固定した試験体を示す正面図、平面図および側面図である。
【符号の説明】
【００５１】
１  構造用合板
２  枠
２ａ  直線
３  目盛り（壁倍率３倍）
４  目盛り（壁倍率４倍）
５  目盛り（壁倍率５倍）
６  目印
７  ビス
１０  木造軸組
１１  試験体（正方形）
１２  試験体（長方形）
【図１】
0003131038.tif 000003
【図２】
0003131038.tif 000004
【図３】
0003131038.tif 000005
【図４】
0003131038.tif 000006
【図５】
0003131038.tif 000007
【図６】
0003131038.tif 000008
【図７】
0003131038.tif 000009